(57)【特許請求の範囲】
【請求項１】
発射位置に送られてきたパチンコ球を球発射部材で発射する毎に、次に発射するパチンコ球を球送出部材で前記発射位置へ送り出すパチンコ機の球発射装置において、
前記球発射部材の発射動作と前記球送出部材の送出動作とが連動するように該球発射部材と該球送出部材とが連結されてユニット化され、
前記球発射部材の発射動作によって前記発射位置のパチンコ球を打ち出すまでは該球発射部材が単独で動作し、該パチンコ球を打ち出した直後に該球発射部材の動作に連動して前記球送出部材が送出動作を開始するように構成され、
前記球発射部材と前記球送出部材は、その一方に設けられたカム溝に他方に設けられた係合ピンを相対移動可能に係合することで連結され、前記球発射部材の発射動作時に前記カム溝の形状に応じた動作パターンで前記球送出部材が送出動作するように構成されていることを特徴とするパチンコ機の球発射装置。
【発明の詳細な説明】
【０００１】
【発明の属する技術分野】
本発明は、発射位置に送られてきたパチンコ球を球発射部材で発射する毎に、次に発射するパチンコ球を球送出部材で発射位置へ送り出すパチンコ機の球発射装置に関するものである。
【０００２】
【従来の技術】
従来の一般的なパチンコ機は、パチンコ球を発射機で発射する毎に、次に発射するパチンコ球を整流器で発射機の発射位置に供給するようにしている。しかし、発射機と別個に整流器を設けると、パチンコ機の組付部品点数や調整箇所が増えてしまい、組付作業に手間がかかる。
【０００３】
そこで、実公昭５９−６８６８号公報に示すパチンコ機の球発射装置では、図６に示すように、発射台１に受け止められたパチンコ球を打ち出す打球槌２と、次に発射するパチンコ球を発射位置へ送り出す球送出片部３とを一体化した構成としている。この構成では、図６に二点鎖線で示すように、打球槌２が初期位置にあるときには、球送出片部３が球供給口４を塞いで該球供給口４からパチンコ球が落下しないようにする。そして、図６に実線で示すように、打球槌２が発射方向に回動したときに、発射台１上のパチンコ球を打球槌２で発射すると共に、球送出片部３が球供給口４を開放して発射待機部５にパチンコ球を１個だけ受け入れる。その後、打球槌２が初期位置へ戻ったときに、発射待機部５に受け入れたパチンコ球を球送出片部３で押し出して発射台１上に落下させる。
【０００４】
【発明が解決しようとする課題】
しかし、上記公報の球発射装置では、打球槌２でパチンコ球を発射する際に、球供給口４からパチンコ球が落下しないようにパチンコ球の荷重を受け支えている球送出片部３を、打球槌２と一体に回動させる必要がある。このため、球送出片部３に加わるパチンコ球の荷重の影響を受けて打球槌２の打球力がばらついてしまい、パチンコ球の飛びむらが発生するという欠点がある。
【０００５】
本発明はこのような事情を考慮してなされたものであり、従ってその目的は、球発射装置の組付性を向上させながら、パチンコ球の発射具合を安定させることができるパチンコ機の球発射装置を提供することにある。
【０００６】
上記目的を達成するために、本発明の請求項１のパチンコ機の球発射装置は、球発射部材の発射動作と球送出部材の送出動作とが連動するように該球発射部材と該球送出部材とを連結してユニット化し、球発射部材の発射動作によって発射位置のパチンコ球を打ち出すまでは該球発射部材が単独で動作し、該パチンコ球を打ち出した直後に該球発射部材の動作に連動して球送出部材が送出動作を開始するように構成し、球発射部材と球送出部材は、その一方に設けられたカム溝に他方に設けられた係合ピンを相対移動可能に係合することで連結し、球発射部材の発射動作時に該カム溝の形状に応じた動作パターンで球送出部材が送出動作するように構成したものである。
【０００７】
この構成では、球発射部材がパチンコ球を打ち出すまでは球発射部材が単独で動作するので、その間は、球送出部材にパチンコ球の荷重が加わっていても、その影響を受けることなく、球発射部材をスムーズに動作させることができ、安定した打球力でパチンコ球を発射することができる。しかも、球発射部材と球送出部材とをユニット化しているので、パチンコ機に球発射装置を組み付ける際の部品点数や調整箇所を少なくすることができる。
【０００９】
更に、本発明では、球発射部材と球送出部材は、その一方に設けられたカム溝に他方に設けられた係合ピンを相対移動可能に係合することで連結し、球発射部材の発射動作時に該カム溝の形状に応じた動作パターンで球送出部材が送出動作するよう構成しているため、複雑なリンク機構等を設けることなく、カム溝と係合ピンの係合という極めて簡単な構成で、球送出部材を所定の動作パターンで送出動作させることができる。
【００１２】
【発明の実施の形態】
以下、本発明の一実施形態を図１乃至図５に基づいて説明する。
【００１３】
まず、図５に基づいてパチンコ機の前面側の構成を概略的に説明する。パチンコ機の本体枠１１には遊技盤１２が取り付けられている。この遊技盤１２の前面に取り付けられたレール１３等によって、遊技盤１２の前面に、パチンコ球が転動する遊技領域が区画形成され、この遊技領域に、センター役物、入賞口、入賞装置（図示せず）が設けられている。また、本体枠１１の上部左側には、遊技盤１２の遊技領域にパチンコ球を発射する球発射装置１４が設けられている。
【００１４】
一方、本体枠１１の前面側下部には、１皿化された大型の球皿１５や球発射装置１４の発射操作ハンドル１６が設けられている。パチンコ機裏面側の球払出装置（図示せず）から払い出されたパチンコ球（賞球又は貸球）は、球払出口１７を通って球皿１５内に流れ込む。また、球皿１５の下流側には、パチンコ球の発射動作に同期させて球皿１５内のパチンコ球を機外（パチンコ島側）に送り出す球送出装置１８が設けられている。
【００１５】
次に、図１乃至図４を用いて球発射装置１４の構成を説明する。
図１に示すように、球発射装置１４の本体ケース１９の上部には、球タンク（図示せず）からパチンコ球が供給される球供給路２０が設けられ、この球供給路２０には、その出口部で待機しているパチンコ球を検出する発射待機球検出センサ２１が設けられている。球供給路２０の下方には、パチンコ球を発射位置に受け止める受止部材２２，２３が逆ハ字状に配置され、これら受止部材２２，２３の下端部間の隙間にパチンコ球の下部が嵌まり込んで、パチンコ球が静止した位置がパチンコ球の発射位置となる。
【００１６】
また、本体ケース１９の中央部には、球供給路２０の出口部で待機しているパチンコ球を１個ずつ発射位置へ送り出す球送出カム２４（球送出部材）と、発射位置に受け止められたパチンコ球を発射する球発射ロータ２５（球発射部材）とが組み込まれてユニット化されている。球発射ロータ２５の下部に形成されたアーム部２６には、発射位置のパチンコ球を打撃する打球槌２７が取り付けられ、この打球槌２７で打ち出されたパチンコ球が、本体ケース１９の側面に形成された発射口２８から遊技盤１２の遊技領域に飛び出していく。
【００１７】
球送出カム２４は、その左端部に挿通された支持軸２９によって回動可能に支持されている。球送出カム２４の右端部には、球供給路２０の出口部（待機位置）で待機するパチンコ球をストップさせる球止め部３０（図２参照）と、球供給路２０の出口部で待機するパチンコ球を１個だけ受け入れる凹部３１とが上下に並んで形成されている。
【００１８】
図３（ａ）に示すように、球送出カム２４が支持軸２９を支点にして下方に回動して、球止め部３０が球供給路２０の出口部に対向する位置が球送出カム２４の初期位置（下限位置）となる。この初期位置は、球送出カム２４の下縁部がストッパゴム３６に当接することで規制されている。
【００１９】
一方、図３（ｃ）に示すように、球送出カム２４が支持軸２９を支点にして上方に回動して、凹部３１が球供給路２０の出口部に対向する位置が、球送出カム２４の球受入位置（上限位置）となる。
【００２０】
また、図２に示すように、本体ケース１９の後方（図２では下方）には、球発射ロータ２５を駆動するロータリーソレノイド３２が配置され、このロータリーソレノイド３２の回動軸３３が、本体ケース１９と球送出カム２４にそれぞれ形成された貫通孔３４，３５を貫通して球送出カム２４の前方（図２では上方）に突出している。このロータリーソレノイド３２の回動軸３３に球発射ロータ２５が固定され（又は回り止め状態に連結され）、球発射ロータ２５と球送出カム２４が軸方向に重なるように配置されている。球送出カム２４の貫通孔３５は、ロータリーソレノイド３２の回動軸３３の外径よりも大きく形成され、ロータリーソレノイド３２の回動軸３３と球送出カム２４とが非連結状態となっている。
【００２１】
図３（ａ）に示すように、球発射ロータ２５のアーム部２６がストッパゴム３６に当接する位置が、球発射ロータ２５の初期位置（発射動作開始前の位置）となる。球発射ロータ２５の上部に形成された凸片部３７と本体ケース１９の上部との間には、ばね３８が掛け渡され、このばね３８の引張力によって球発射ロータ２５が回動軸３３を中心にして初期位置の方向（打球槌２７が左方に移動する方向）に付勢されている。
【００２２】
一方、図３（ｂ）に示すように、球発射ロータ２５が回動軸３３を中心にして発射方向（打球槌２７が右方に移動する方向）に回動すると、打球槌２７が発射位置に受け止められたパチンコ球を打ち出す。以下、図３（ｂ）に示す球発射ロータ２５の位置を打球位置という。尚、球発射ロータ２５の発射方向への最大回動位置は、図３（ｃ）に示すように、球発射ロータ２５の凸片部３７がストッパゴム３６に当接することで規制されている。
【００２３】
また、図１に示すように、球発射ロータ２５の発射動作と球送出カム２４の送出動作とを連動させるために、球発射ロータ２５に形成されたカム溝３９に、球送出カム２４に設けられた係合ピン４０が相対移動可能に係合されている。このカム溝３９は、球発射ロータ２５の回動方向に円弧状に延びる第１溝部３９ａと、この第１溝部３９ａの終端部から球発射ロータ２５の外周側に向かって斜め方向に延びる第２溝部３９ｂと、この第２溝部３９ｂの終端部から球発射ロータ２５の回動方向に円弧状に延びる第３溝部３９ｃとから構成されている。
【００２４】
そして、球発射ロータ２５が初期位置［図３（ａ）］から打球位置［図３（ｂ）］又はこの打球位置を少し通り過ぎた位置（以下「打球位置付近」という）まで回動する回動範囲では、係合ピン４０が第１溝部３９ａ内に位置し、球発射ロータ２５のみが単独で回動し、球送出カム２４は回動しない。
【００２５】
また、球発射ロータ２５が打球位置付近から所定位置（最大回動位置よりも少し手前の回動位置）まで回動する回動範囲では、係合ピン４０が第２溝部３９ｂ内に位置し、球発射ロータ２５の回動力が係合ピン４０を介して球送出カム２４に伝達され、球発射ロータ２５の回動力によって球送出カム２４が回動される。
【００２６】
更に、球発射ロータ２５が上記所定位置から最大回動位置まで回動する回動範囲では、係合ピン４０が第３溝部３９ｃ内に位置し、発射ロータ２５のみが単独で回動し、球送出カム２４は回動しない。
【００２７】
また、本実施形態では、発射位置の下方（受止部材２２，２３の下方）に、機外に通じる球抜き通路４１が設けられている。そして、球供給路２０の出口部付近の下面（球抜き口）は、第１の球抜き部材４２によって開閉される。図１に示すように、第１の球抜き部材４２が球供給路２０の出口部付近の下面（球抜き口）を閉鎖した状態では、球供給路２０内のパチンコ球を球送出カム２４へ向かって流下させる。そして、図４に示すように、第１の球抜き部材４２を右方向にスライドさせて、球供給路２０の出口部付近の下面（球抜き口）を開放すると、球供給路２０内のパチンコ球が発射位置へ向かって落下する。
【００２８】
また、発射位置の右側の受止部材２３は、発射位置付近に設けられた球抜き通路４１の入口（球抜き口）を開閉する第２の球抜き部材として機能する。この第２の球抜き部材２３は、上記第１の球抜き部材４２と一体的にスライド移動するようになっており、図１に示すように、第２の球抜き部材２３が球抜き通路４１の入口（球抜き口）を閉鎖した状態では、パチンコ球を発射位置に受け止める。一方、図４に示すように、第２の球抜き部材２３を右方向にスライドさせて、球抜き通路４１の入口（球抜き口）を開放すると、発射位置のパチンコ球が球抜き通路４１内に落下する。
【００２９】
更に、第２の球抜き部材２３と一体的にスライド移動するガイド壁４３が設けられ、ガイド壁４３が受止部材２２に密着する位置（図１参照）と、発射位置へ向かって落下するパチンコ球をガイドする球抜き位置（図４参照）との間をスライドするようになっている。
【００３０】
以上のように構成した球発射装置１４は、球抜きしない時には、図１に示すように、第１の球抜き部材４２、第２の球抜き部材２３及びガイド壁４３を通常の位置に切り換えておく。これにより、球供給路２０に供給されるパチンコ球を球送出カム２４へ流下させると共に、球送出カム２４から送り出されるパチンコ球を発射位置に受け止めることができるようにする。
【００３１】
そして、発射操作ハンドル１６が発射操作されると、その操作量に応じた電圧でロータリーソレノイド３２の通電／断電が繰り返される。これにより、図３（ａ）〜（ｄ）に示すように、球発射ロータ２５が、初期位置から発射方向（打球槌２７が右方に移動する方向）に回動して発射位置に受け止められたパチンコ球を打球槌２７で打ち出した後、逆方向に回動して初期位置に戻る発射動作を繰り返す。
【００３２】
この際、球送出カム２４は、次のような動作パターンで送出動作する。
球発射ロータ２５が初期位置［図３（ａ）参照］から打球位置付近［図３（ｂ）参照］まで回動する期間は、係合ピン４０がカム溝３９の第１溝部３９ａ内に位置している。第１溝部３９ａは、球発射ロータ２５の回動方向に円弧状に延びるように形成されているため、この期間は、球発射ロータ２５の回動に伴ってカム溝３９（第１溝部３９ａ）が回動しても、係合ピン４０は移動せず、球送出カム２４は回動しない。これにより、球供給路２０の出口部のパチンコ球が球送出カム２４の球止め部３０で受け止められた状態に維持される。
【００３３】
その後、球発射ロータ２５が打球位置付近［図３（ｂ）参照］から所定位置（最大回動位置よりも少し手前の回動位置）まで回動する期間は、係合ピン４０が第２溝部３９ｂ内に位置している。第２溝部３９ｂは、球発射ロータ２５の外周側に向かって斜め方向に延びるように形成されているため、この期間は、球発射ロータ２５の回動に伴ってカム溝３９（第２溝部３９ｂ）が回動すると、係合ピン４０が第２溝部３９ｂに沿って上方に移動する。これにより、球送出カム２４が支持軸２９を支点にして上方に回動して、球止め部３０が球供給路２０の出口部よりも上方へ移動し、それと入れ替わりに凹部３１が球供給路２０の出口部に対向する球受入位置まで移動し、球供給路２０の出口部のパチンコ球を凹部３１内に１個だけ受け入れる。
【００３４】
その後、球発射ロータ２５が上記所定位置から最大回動位置［図３（ｃ）参照］まで回動する期間、及び最大回動位置から逆方向に回動して上記所定位置まで戻る期間は、係合ピン４０が第３溝部３９ｃ内に位置している。第３溝部３９ｃは、球発射ロータ２５の回動方向に円弧状に延びるように形成されているため、この期間は、球発射ロータ２５の回動に伴ってカム溝３９（第３溝部３９ｃ）が回動しても、係合ピン４０は移動しない。これにより、球送出カム２４は、凹部３１が球供給路２０の出口部に対向した球受入位置で停止して、パチンコ球を凹部３１内に確実に受け入れる。
【００３５】
更に、球発射ロータ２５が上記所定位置から打球位置付近［図３（ｄ）参照］まで戻る期間は、係合ピン４０が第２溝部３９ｂ内に位置しているため、球発射ロータ２５の回動に伴ってカム溝３９（第２溝部３９ｂ）が回動すると、係合ピン４０が第２溝部３９ｂに沿って下方に移動する。これにより、球送出カム２４は、球受入位置から下方に回動して初期位置に戻り、球供給路２０の出口部のパチンコ球を球止め部３０で受け止めながら凹部３１内のパチンコ球を発射位置に送り出す。
【００３６】
その後、球発射ロータ２５が打球位置付近から初期位置まで戻る期間は、係合ピン４０が第１溝部３９ａ内に位置しているため、球送出カム２４は、初期位置で停止して、球供給路２０の出口部のパチンコ球を球止め部３０で受け止めた状態に維持する。
【００３７】
以上のようにして、球発射ロータ２５の１回の発射動作のうちパチンコ球を打ち出すまでの期間は球発射ロータ２５を単独で動作させて、パチンコ球を打ち出した直後に、球発射ロータ２５の動作に連動させて球送出カム２４の送出動作を開始し、球送出カム２４を初期位置から球受入位置まで回動させて、そこで一時的に停止させた後に初期位置に戻す。これにより、発射位置に受け止められたパチンコ球を球発射ロータ２５で発射する毎に、球供給路２０から供給されるパチンコ球を球送出カム２４で発射位置へ送り出す。
【００３８】
一方、球供給路２０や発射位置に残ったパチンコ球を球抜きする場合には、図４に示すように、第１の球抜き部材４２、第２の球抜き部材２３及びガイド壁４３を右方向にスライドさせて球抜き位置に切り換え、球供給路２０の出口部付近の下面（球抜き口）を開放すると共に、発射位置付近に設けられた球抜き通路４１の入口（球抜き口）を開放する。これにより、球供給路２０内に残ったパチンコ球が、球送出カム２４の側方及び発射位置を通過して球抜き通路４１内に落下し、機外に抜き取られる。
【００３９】
以上説明した本実施形態によれば、球発射ロータ２５の発射動作によってパチンコ球を打ち出すまでの期間（球発射ロータ２５が初期位置から打球位置付近まで回動する期間）は、球発射ロータ２５が単独で動作するようにしたので、その間は、球送出カム２４にパチンコ球の荷重が加わっていても、その影響を受けることなく、球発射ロータ２５をスムーズに発射動作させることができて、安定した打球力でパチンコ球を打ち出すことができ、パチンコ球の飛びむらを防止することができる。しかも、球発射ロータ２５と球送出カム２４を１つの本体ケース１９内に組み込んでユニット化しているので、球発射装置１４をパチンコ機へ組み付ける際の組付部品点数や調整箇所を削減することができ、球発射装置１４の組付性を向上させることができる。
【００４０】
また、本実施形態では、球送出カム２４の送出動作を、初期位置から球受入位置まで回動して一時的に停止させた後、初期位置に戻す動作となるようにしているので、球送出カム２４の凹部３１を球供給路２０の出口部に対向させた球受入位置で一時的に停止させて凹部３１にパチンコ球を確実に受け入れてから球送出カム２４を初期位置に戻して凹部３１内のパチンコ球を発射位置へ送り出すことができ、送出動作の信頼性も向上することができる。
【００４１】
更に、本実施形態では、球発射ロータ２５に形成したカム溝３９に、球送出カム２４に設けた係合ピン４０を相対移動可能に係合して、球発射ロータ２５と球送出カム２４とを連結し、球発射ロータ２５の発射動作時にカム溝３９の形状に応じた動作パターンで球送出カム２４が送出動作するようにしたので、複雑なリンク機構等を設けることなく、カム溝３９と係合ピン４０の係合という極めて簡単な構成で、球送出カム２４を所定の動作パターンで送出動作させることができる。
【００４２】
また、本実施形態では、球発射ロータ２５と球送出カム２４を、それぞれ回動可能に設けて軸方向に重なるように配置したので、球発射ロータ２５と球送出カム２４を１つの本体ケース１９内にコンパクトにユニット化して、球発射装置１４を小型化することができ、省スペース化の要求も満たすことができる。
【００４３】
また、本実施形態では、球供給路２０の出口部付近の下面（球抜き口）を開閉する第１の球抜き部材４２と、発射位置付近に設けられた球抜き通路４１の入口（球抜き口）を開閉する第２の球抜き部材２３とを設けたので、これら第１の球抜き部材４２と第２の球抜き部材２３を球抜き位置に操作することによって、球供給路２０や発射位置に残ったパチンコ球を全て球抜き通路４１内に落下させて抜き取ることができる。
尚、球抜き通路４１の位置や球抜き方法は適宜変更しても良い。或は、球抜き手段を省略した構成としても良い。
【００４４】
また、本実施形態では、球発射ロータ２５にカム溝３９を設け、球送出カム２４に係合ピン４０を設けるようにしたが、これとは反対に、球発射ロータ２５に係合ピンを設け、球送出カム２４にカム溝を設けるようにしても良い。
【００４６】
更に、本実施形態では、球発射ロータ２５と球送出カム２４を軸方向に重なるように配置したが、球発射ロータ２５と球送出カム２４の配置方法は、球発射ロータ２５と球送出カム２４の連動機構の変更等に応じて適宜変更しても良い。
【００４７】
また、本実施形態では、球発射ロータ（打球槌）を回動動作させるようにしたが、球発射部材（打球槌）を直線的に往復動作させる球発射装置に本発明を適用しても良い。
【００４８】
その他、本発明は、球発射装置の位置はパチンコ機の上部に限定されず、パチンコ機の下部に球発射装置を設けた構成としても良い等、種々変更して実施できる。
【００４９】
【発明の効果】
以上の説明から明らかなように、本発明の請求項１のパチンコ機の球発射装置によれば、球発射部材と球送出部材とをユニット化し、球発射部材の発射動作によってパチンコ球を打ち出すまでは球発射部材が単独で動作するようにしたので、球送出部材にかかるパチンコ球の荷重の影響を受けることなく、安定した打球力でパチンコ球を打ち出すことができ、パチンコ球の発射具合を安定させることができる。しかも、球発射部材と球送出部材とをユニット化しているので、パチンコ機への組付性も向上させることができる。
【００５１】
更に、本発明では、球発射部材と球送出部材をカム溝と係合ピンで連結し、球発射部材の発射動作時にカム溝の形状に応じた動作パターンで球送出部材が送出動作するようしたので、球発射部材と球送出部材の連動機構の構成を極めて簡単化することができる。
【図面の簡単な説明】
【図１】本発明の一実施形態における発射動作開始前の状態を示す球発射装置の縦断面図
【図２】図１のＡ−Ａ断面図
【図３】（ａ）〜（ｄ）は、球発射ロータの発射動作及び球送出カムの送出動作を説明するための図
【図４】球抜き時の状態を示す球発射装置の縦断面図
【図５】パチンコ機の正面図
【図６】従来の球発射装置を示す縦断面図
【符号の説明】
１４…球発射装置、１９…本体ケース、２０…球供給路、２２…受止部材、２３…受止部材（第２の球抜き部材）、２４…球送出カム（球送出部材）、２５…球発射ロータ（球発射部材）、２７…打球槌、２９…支持軸、３０…球止め部、３１…凹部、３３…回動軸、３６…ストッパゴム、３８…ばね、３９…カム溝、３９ａ…第１溝部、３９ｂ…第２溝部、３９ｃ…第３溝部、４０…係合ピン、４１…球抜き通路、４２…第１の球抜き部材、４３…ガイド壁。
【図１】
0004666556.tif 000002
【図２】
0004666556.tif 000003
【図３】
0004666556.tif 000004
【図４】
0004666556.tif 000005
【図５】
0004666556.tif 000006
【図６】
0004666556.tif 000007